【手続補正書】
【提出日】平成21年10月19日(2009.10.19)
【手続補正１】
【補正対象書類名】特許請求の範囲
【補正対象項目名】全文
【補正方法】変更
【補正の内容】
【特許請求の範囲】
【請求項１】
複数の端末の状態情報を管理するサーバを備えた状態情報管理システムであって、
上記サーバは、
上記複数の端末のうちの第１の端末から状態情報公開要求を受信する受信部と、
上記状態情報公開要求から状態情報抽出条件を抽出する制御部と、
上記複数の端末のうちの上記状態情報抽出条件に合致する一または複数の他の端末の状態情報を上記第１の端末に送信する送信部を有し、
上記状態情報抽出条件は、上記他の端末を示す情報、上記他の端末のユーザを示す情報、または上記他の端末もしくは上記他の端末のユーザが属するグループを示す情報のいずれでもないことを特徴とする状態情報管理システム。
【請求項２】
複数の端末の状態情報を管理するサーバを備えた状態情報管理システムであって、
上記サーバは、
上記複数の端末のうちの第１の端末から状態情報公開要求を受信する受信部と、
上記状態情報公開要求から状態情報抽出条件を抽出する制御部と、
上記複数の端末のうちの上記状態情報抽出条件に合致する一または複数の他の端末の状態情報を上記第１の端末に送信する送信部を有し、
上記送信部は、上記状態情報抽出条件に合致する他の端末が増加または減少した場合には、上記増加または減少を反映した一または複数の他の端末の新たな状態情報をあらためて上記第１の端末に送信することを特徴とする状態情報管理システム。
【請求項３】
請求項１または２に記載の状態情報管理システムであって、
上記状態情報抽出条件は、状態情報の値の少なくとも一部を指定したものであり、
上記送信部は、上記状態情報抽出条件で指定された状態情報の値の少なくとも一部と合致する状態情報を有する上記他の端末の状態情報を上記第１の端末に送信することを特徴とする状態情報管理システム。
【請求項４】
請求項３記載の状態情報管理システムであって、
上記状態情報抽出条件は、状態情報の値の範囲を指定したものであることを特徴とする状態情報管理システム。
【請求項５】
請求項４記載の状態情報管理システムであって、
上記状態情報抽出条件は、上記第１の端末の状態情報の値と一定の距離内にある状態情報の値を指定したものであることを特徴とする状態情報管理システム。
【請求項６】
請求項５記載の状態情報管理システムであって、
上記距離とは、物理的または論理的な距離に基づいて定められた距離であることを特徴とする状態情報管理システム。
【請求項７】
請求項６記載の状態情報管理システムであって、
上記状態情報の値は、端末または該端末のユーザの所在地であり、上記距離は物理的な距離または道のりに基づいて定められた距離であることを特徴とする状態情報管理システム。
【請求項８】
請求項６記載の状態情報管理システムであって、
上記状態情報の値は、端末のユーザの役職名であって、上記距離は上記役職名間の組織階層上の近さを表す論理的な距離であることを特徴とする状態情報管理システム。
【請求項９】
請求項３記載の状態情報管理システムであって、
上記状態情報抽出条件は、上記第１の端末の状態情報との関係が一定の条件を満たす状態情報の値を指定するものであり、
上記送信部は、上記一定の条件を満たす値を有する他の端末の状態情報を上記第１の端末に送信することを特徴とする状態情報管理システム。
【請求項１０】
請求項９記載の状態情報管理システムであって、
上記一定の条件とは、上記第１の端末の状態情報の値と同一の値であるという条件であることを特徴とする状態情報管理システム。
【請求項１１】
請求項９記載の状態情報管理システムであって、
上記一定の条件とは、上記第１の端末の状態情報の値と一定の距離にある値であるという条件であることを特徴とする状態情報管理システム。
【請求項１２】
請求項１１記載の状態情報管理システムであって、
上記距離とは、物理的または論理的な距離に基づいて定められた距離であることを特徴とする状態情報管理システム。
【請求項１３】
請求項９記載の状態情報管理システムであって、
上記状態情報には複数の項目が含まれており、
上記一定の条件とは、上記第１の端末の状態情報の一または複数の項目と同じ項目に対する条件であることを特徴とする状態情報管理システム。
【請求項１４】
請求項９記載の状態情報管理システムであって、
上記状態情報には複数の項目が含まれており、
上記一定の条件とは、上記第１の端末の状態情報の一または複数の項目と一致しない項目に対する条件であることを特徴とする状態情報管理システム。
【請求項１５】
請求項１または２記載の状態情報管理システムであって、
上記送信部は、上記一または複数の他の端末のうち一部の限定された一または複数の他の端末の状態情報のみを上記第１の端末に送信し、
上記他の端末を限定する条件は、該他の端末の状態情報の値には基づかずに限定する条件であることを特徴とする状態情報管理システム。
【請求項１６】
請求項１５記載の状態情報管理システムであって、
上記他の端末を限定する条件は、上記第１の端末が指定することを特徴とする状態情報管理システム。
【請求項１７】
請求項１６記載の状態情報管理システムであって、
上記他の端末を限定する条件とは、上記第１の端末があらかじめ指定した他の端末のリストに含まれる端末のみに限定するという条件であることを特徴とする状態情報管理システム。
【請求項１８】
請求項１５記載の状態情報管理システムであって、
上記他の端末を限定する条件は、該システムの管理者が設定することを特徴とする状態情報管理システム。
【請求項１９】
請求項１５記載の状態情報管理システムであって、
上記他の端末を限定する条件とは、上記一または複数の他の端末のうち状態情報の公開を拒否する他の端末を除くという条件であることを特徴とする状態情報管理システム。
【請求項２０】
請求項１９記載の状態情報管理システムであって、
上記状態情報の公開を拒否する他の端末は、公開を拒否する状態情報の値、または公開を拒否する相手端末の少なくともいずれか一方を、予め該サーバに登録しておくことを特徴とする状態情報管理システム。
【請求項２１】
請求項１９記載の状態情報管理システムであって、
上記サーバは、
上記一または複数の端末に対して状態情報公開の可否を問い合わせることを特徴とする状態情報管理システム。
【請求項２２】
請求項２１記載の状態情報管理システムであって、
上記問い合わせは、上記状態情報抽出条件に合致した上記他の端末に対して行われることを特徴とする状態情報管理システム。
【請求項２３】
請求項２記載の状態情報管理システムであって、
上記新たな状態情報は、上記第１の端末の状態情報が更新された際に、上記第１の端末に送信されることを特徴とする状態情報管理システム。
【請求項２４】
請求項２記載の状態情報管理システムであって、
上記新たな状態情報は、上記第１の端末以外の端末のいずれかの状態情報が更新された際に、上記第１の端末に送信されることを特徴とする状態情報管理システム。
【請求項２５】
複数の端末の状態情報を管理する状態情報管理サーバであって、
上記複数の端末のうちの第１の端末から状態情報公開要求を受信する受信部と、
上記状態情報公開要求から状態情報抽出条件を抽出する制御部と、
上記複数の端末のうちの上記状態情報抽出条件に合致する一または複数の他の端末の状態情報を上記第１の端末に送信する送信部を有し、
上記状態情報抽出条件は、上記他の端末を示す情報、上記他の端末のユーザを示す情報、または上記他の端末もしくは上記他の端末のユーザが属するグループを示す情報のいずれでもないことを特徴とする状態情報管理サーバ。
【請求項２６】
複数の端末の状態情報を管理する状態情報管理サーバであって、
上記複数の端末のうちの第１の端末から状態情報公開要求を受信する受信部と、
上記状態情報公開要求から状態情報抽出条件を抽出する制御部と、
上記複数の端末のうちの上記状態情報抽出条件に合致する一または複数の他の端末の状態情報を上記第１の端末に送信する送信部を有し、
上記送信部は、上記状態情報抽出条件に合致する他の端末が増加または減少した場合には、上記増加または減少を反映した一または複数の他の端末の新たな状態情報をあらためて上記第１の端末に送信することを特徴とする状態情報管理サーバ。
【請求項２７】
請求項２５または２６に記載の状態情報管理サーバであって、
上記状態情報抽出条件は、状態情報の値の少なくとも一部を指定したものであり、
上記送信部は、上記状態情報抽出条件で指定された状態情報の値の少なくとも一部と合致する状態情報を有する上記他の端末の状態情報を上記第１の端末に送信することを特徴とする状態情報管理サーバ。
【請求項２８】
請求項２７記載の状態情報管理サーバであって、
上記状態情報抽出条件は、状態情報の値の範囲を指定したものであることを特徴とする状態情報管理サーバ。
【請求項２９】
請求項２８記載の状態情報管理サーバであって、
上記状態情報抽出条件は、上記第１の端末の状態情報の値と一定の距離内にある状態情報の値を指定したものであることを特徴とする状態情報管理サーバ。
【請求項３０】
請求項２９記載の状態情報管理サーバであって、
上記距離とは、物理的または論理的な距離に基づいて定められた距離であることを特徴とする状態情報管理サーバ。
【請求項３１】
請求項３０記載の状態情報管理サーバであって、
上記状態情報の値は、端末または該端末のユーザの所在地であり、上記距離は物理的な距離または道のりに基づいて定められた距離であることを特徴とする状態情報管理サーバ。
【請求項３２】
請求項３０記載の状態情報管理サーバであって、
上記状態情報の値は、端末のユーザの役職名であって、上記距離は上記役職名間の組織階層上の近さを表す論理的な距離であることを特徴とする状態情報管理サーバ。
【請求項３３】
請求項２７記載の状態情報管理サーバであって、
上記状態情報抽出条件は、上記第１の端末の状態情報との関係が一定の条件を満たす状態情報の値を指定するものであり、
上記送信部は、上記一定の条件を満たす値を有する他の端末の状態情報を上記第１の端末に送信することを特徴とする状態情報管理サーバ。
【請求項３４】
請求項３３記載の状態情報管理サーバであって、
上記一定の条件とは、上記第１の端末の状態情報の値と同一の値であるという条件であることを特徴とする状態情報管理サーバ。
【請求項３５】
請求項３３記載の状態情報管理サーバであって、
上記一定の条件とは、上記第１の端末の状態情報の値と一定の距離にある値であるという条件であることを特徴とする状態情報管理サーバ。
【請求項３６】
請求項３５記載の状態情報管理サーバであって、
上記距離とは、物理的または論理的な距離に基づいて定められた距離であることを特徴とする状態情報管理サーバ。
【請求項３７】
請求項３３記載の状態情報管理サーバであって、
上記状態情報には複数の項目が含まれており、
上記一定の条件とは、上記第１の端末の状態情報の一または複数の項目と同じ項目に対する条件であることを特徴とする状態情報管理サーバ。
【請求項３８】
請求項３３記載の状態情報管理サーバであって、
上記状態情報には複数の項目が含まれており、
上記一定の条件とは、上記第１の端末の状態情報の一または複数の項目と一致しない項目に対する条件であることを特徴とする状態情報管理サーバ。
【請求項３９】
請求項２５または２６記載の状態情報管理サーバであって、
上記送信部は、上記一または複数の他の端末のうち一部の限定された一または複数の他の端末の状態情報のみを上記第１の端末に送信し、
上記他の端末を限定する条件は、該他の端末の状態情報の値には基づかずに限定する条件であることを特徴とする状態情報管理サーバ。
【請求項４０】
請求項３９記載の状態情報管理サーバであって、
上記他の端末を限定する条件は、上記第１の端末が指定することを特徴とする状態情報管理サーバ。
【請求項４１】
請求項４０記載の状態情報管理サーバであって、
上記他の端末を限定する条件とは、上記第１の端末があらかじめ指定した他の端末のリストに含まれる端末のみに限定するという条件であることを特徴とする状態情報管理サーバ。
【請求項４２】
請求項３９記載の状態情報管理サーバであって、
上記他の端末を限定する条件は、該サーバの管理者が設定することを特徴とする状態情報管理サーバ。
【請求項４３】
請求項４０記載の状態情報管理サーバであって、
上記他の端末を限定する条件とは、上記一または複数の他の端末のうち状態情報の公開を拒否する他の端末を除くという条件であることを特徴とする状態情報管理サーバ。
【請求項４４】
請求項４３記載の状態情報管理サーバであって、
上記状態情報の公開を拒否する他の端末は、公開を拒否する状態情報の値、または公開を拒否する相手端末の少なくともいずれか一方を、予め該サーバに登録しておくことを特徴とする状態情報管理サーバ。
【請求項４５】
請求項４３記載の状態情報管理サーバであって、
上記一または複数の端末に対して状態情報公開の可否を問い合わせることを特徴とする状態情報管理サーバ。
【請求項４６】
請求項４５記載の状態情報管理サーバであって、
上記問い合わせは、上記状態情報抽出条件に合致した上記他の端末に対して行われることを特徴とする状態情報管理サーバ。
【請求項４７】
請求項２６記載の状態情報管理サーバであって、
上記新たな状態情報は、上記第１の端末の状態情報が更新された際に、上記第１の端末に送信されることを特徴とする状態情報管理サーバ。
【請求項４８】
請求項２６記載の状態情報管理サーバであって、
上記新たな状態情報は、上記第１の端末以外の端末のいずれかの状態情報が更新された際に、上記第１の端末に送信されることを特徴とする状態情報管理サーバ。
【請求項４９】
複数の端末の状態情報を管理するサーバを備えた状態情報管理システムであって、
上記サーバは、
上記状態情報が、上記端末を示す情報、上記端末のユーザを示す情報、または上記端末もしくは上記端末のユーザが属するグループを示す情報のうちの少なくともいずれか一つに対応付けて格納された記憶部と、
上記複数の端末のうちの第１の端末から状態情報公開要求を受信する受信部と、
上記状態情報公開要求から状態情報抽出条件を抽出する制御部と、
上記記憶部に格納された状態情報のうちの上記状態情報抽出条件に合致する一または複数の他の上記端末の状態情報を上記第１の端末に送信する送信部とを有し、
上記状態情報の値は、端末のユーザの役職名であって、上記距離は上記役職名間の組織階層上の近さを表す論理的な距離であり、
上記状態情報抽出条件は、上記第１の端末の状態情報の値と一定の距離内にある状態情報の値をしたものであり、
上記送信部は、上記状態情報抽出条件で指定された状態情報の値の少なくとも一部と合致する状態情報を有する上記他の端末の状態情報を上記第１の端末に送信することを特徴とする状態情報管理システム。
【請求項５０】
複数の端末の状態情報を管理する状態情報管理サーバであって、
上記状態情報が、上記端末を示す情報、上記端末のユーザを示す情報、または上記端末もしくは上記端末のユーザが属するグループを示す情報のうちの少なくともいずれか一つに対応付けられて格納された記憶部と、
上記複数の端末のうちの第１の端末から状態情報公開要求を受信する受信部と、
上記状態情報公開要求から状態情報抽出条件を抽出する制御部と、
上記記憶部に格納された状態情報のうちの上記状態情報抽出条件に合致する一または複数の他の上記端末の状態情報を上記第１の端末に送信する送信部とを有し、
上記状態情報の値は、端末のユーザの役職名であって、上記距離は上記役職名間の組織階層上の近さを表す論理的な距離であり、
上記状態情報抽出条件は、上記第１の端末の状態情報の値と一定の距離内にある状態情報の値を指定したものであり、
上記送信部は、上記状態情報抽出条件で指定された状態情報の値の少なくとも一部と合致する状態情報を有する上記他の端末の状態情報を上記第１の端末に送信することを特徴とする状態情報管理サーバ。
【請求項５１】
複数の端末の状態情報を管理する状態情報管理サーバにおいて実行可能な状態情報管理プログラムであって、
該サーバは、上記状態情報が、上記端末を示す情報、上記端末のユーザを示す情報、または上記端末もしくは上記端末のユーザが属するグループを示す情報のうちの少なくともいずれか一つに対応付けられて格納された記憶部を有し、
上記複数の端末のうちの第１の端末から状態情報公開要求を受信するステップと、
上記状態情報公開要求から状態情報抽出条件を抽出するステップと、
上記記憶部に格納された状態情報のうちの上記状態情報抽出条件に合致する一または複数の他の上記端末の状態情報を上記第１の端末に送信するステップとを有する状態情報管理方法を実行可能な状態情報管理プログラムであって、
上記状態情報の値は、端末のユーザの役職名であって、上記距離は上記役職名間の組織階層上の近さを表す論理的な距離であり、
上記状態情報抽出条件は、上記第１の端末の状態情報の値と一定の距離内にある状態情報の値を指定したものである、
上記状態情報を上記第１の端末に送信するステップでは、上記状態情報抽出条件で指定された状態情報の値の少なくとも一部と合致する状態情報を有する上記他の端末の状態情報を上記第１の端末に送信することを特徴とする状態情報管理プログラム。